(57)【要約】【課題】  ＩＣタグをポスターや掲示板の所定の位置に簡単に固定することを可能とし、情報提供手段としてうまく利用することが出来るようにすること。【解決手段】  本発明に係るポスター装置は、ポスターと、該ポスターに重なり合ってポスターを保持する台紙とを備え、該台紙には、ポスターの読み取り位置（タッチポイント）と重なる部分にＩＣタグが取り付けられていることを特徴としている。ＩＣタグは、台紙に設けた碁盤目状の座標の軸の交点または枠の内部に設けておくのが好ましい。また、ポスターと台紙とを重ね合わせて一つの枠に設けておくのが好ましい。【選択図】図１
2016071314.tif 000002
【特許請求の範囲】
【請求項１】
ポスターと、該ポスターに重なり合ってポスターを保持する台紙とを備え、該台紙には、ポスターの読み取り位置と重なる部分にＩＣタグが取り付けられていることを特徴とするポスター装置。
【請求項２】
ＩＣタグは、台紙に設けた碁盤目状の座標の軸の交点または枠の内部に設けられている請求項１に記載のポスター装置。
【発明の詳細な説明】
【技術分野】
【０００１】  この発明は、ＩＣタグ（ＲＦＩＤ，電子タグ、ＲＦタグ等とも呼ばれる）を用いるポスター装置に関するものである。【０００２】  例えばポスターに貼られたＩＣタグに携帯電話やスマートフォンをかざすだけでさまざまなデータを読み取ることが可能になっている。これは非接触式のＩＣタグにＩＣタグリーダー内蔵の携帯電話やスマートフォンを利用してプラウザやメーラの起動で情報を読み取る既存の方法を利用するものである。【０００３】  この方法は、豊富な情報を利用者に伝えることが可能になり効果的であるが、すべてのポスターにＩＣタグを貼りつけるのはコストが高くなるという問題点があった。すなわち、ＩＣタグは印刷に適していないので、印刷した後にポスター１枚ごとに正確に位置決めして貼り付けなければならないうえ、ＩＣタグ自体のコストもかかるので、その分だけ既存ポスターと比較して大幅にコスト高になるという問題がある。この点、安価な印刷だけですむ２次元バーコードとは相違する。【０００４】  なお、ＩＣタグを商品の識別に利用しようとするものとして、特許文献に記載されているものがある。このものは、所定の商品を表示したポスターが添付されて固定位置に設置されたＩＣタグにかざすことでＩＣタグの位置情報を取得して管理サーバにするもので、ＩＣタグの位置情報に対応する表示画像を表示するものである。【０００５】  しかし、先行文献に記載のものは、ＩＣタグの位置情報を利用するものであるが、ＩＣタグとポスターの位置を正確かつ容易にきめるものではない。すなわち本願発明とは解決しようとする課題が相違するのである。
【先行技術文献】
【０００６】
【特許文献１】特開２０１３−１６１０９７号公報
【発明の概要】
【発明が解決しようとする課題】  この発明は、ＩＣタグをポスターや掲示板の所定の位置に簡単に固定することを可能とし、情報提供手段としてうまく利用することが出来るようにすることを課題としている。
【課題を解決するための手段】
【０００７】  上記課題を解決するため、本発明は次のような構成を採用した。すなわち、本発明に係るポスター装置は、ポスターと、該ポスターに重なり合ってポスターを保持する台紙とを備え、該台紙には、ポスターの読み取り位置（タッチポイント）と重なる部分にＩＣタグが取り付けられていることを特徴としている。【０００８】  ＩＣタグは、台紙に設けた碁盤目状の座標の軸の交点または枠の内部に設けておくのが好ましい。また、ポスターと台紙とを重ね合わせて一つの枠に設けておくのが好ましい。【０００９】  なお、ＩＣタグ取付け台紙は、水につよい、簡単に破れない、軽い、などの機能が求められるが、紙以外に、シート、不織布、など素材を使用することができる。
【図面の簡単な説明】
【図１】ポスターの外観図である。
【図２】ＩＣタグの説明図である。
【図３】台紙の説明図である。
【図４】ＩＣタグの配置を例示する台紙の平面図である。
【図５】取付け状態を表す断面図である。
【発明を実施するための最良の形態】
【００１０】  以下、本発明の実施形態について説明する。図１及び図３に示すように、このポスター装置１は枠２の内側にポスター５と台紙７が保持されている。ポスター５と台紙７は同寸法でちょうど重なりあった状態で枠２に保持されている。駅等に貼られているポスターは定形のものが多いので、台紙７もポスターも定形品で同寸法のものを利用すれば便利である。台紙７の裏側には補強のため裏板９が設けられている。裏板は、必ずしも設けておかなくてもよい。【００１１】  台紙７には、図２に例示するようなＩＣタグ１０が貼り付けられている。ＩＣタグは、図４に示すように、あらかじめ表示されている位置（たとえば碁盤目状のケイ線の交点や枠内）に配置するのがよい。碁盤目状の交点は縦横に多数あるが、全ての交点にＩＣタグを設けておいても、よく場合によっては適当な複数か所に設けておいてもよい。碁盤目状の交点に配置する代わりに升目にそれぞれ配置してもよい。要は、ポスターの適当な位置にＩＣタグが取付けられるようにすればよい。【００１２】  ＩＣタグの設置数が多いほうがＩＣタグの読み取り位置１１をポスターの紙面上でいろいろと選択できるので、ポスターのデザインに対する自由度が多くなる。したがって、全ての交点またはすべての升目に配置しておくのが基本であるが、コスト削減のために場合によっては利用頻度が高いと予測される適当な数か所に設けておいてもよい。しかしながら、場合によっては特定の個所に数個、例えば１個だけ設けておいてもよい。いずれの場合も、ＩＣタグを固定する位置を第三者にも簡単にわかるようにすれば便利である。ポスターの印刷時にＩＣタグの位置とポスターのタッチ位置（読み取りタッチマーク位置）１１とが重なる必要があるが、この点はＩＣタグの取り付け位置をポスターデザイナー等にあらかじめ知らせておくことで問題はない。【００１３】  このためには、ＩＣタグ取り付け位置を座標化し、座標で表すのが便利である。図５はこれをあらわすもので、碁盤目状に設けられている縦線を１，２，３，，，，、横線をａ，ｂ，ｃ，，，とすると、それぞれの位置を２−ｃ、３−ｂ、という具合にあらわすのが好ましい。ポスターの種類は、ＩＣタグを貼り付ける有効位置によって、例えば３−ｂという具合に呼ぶことにすれば間違いが防げる。なお、ポスターの取り付け位置は縦も横も１ｃｍ間隔で表すのがｃｍ単位で標準化されるので好ましい。【００１４】  ポスターデザインは無限であり、ポスターには様式番号とＩＣの設置位置を表示する番号（座標）とを表示しておく。たとえば、Ｐ−１３Ｂ１５−ｄという具合である。このうち、Ｐ−１３はポスターの種類を表す番号であり、例えば島並み海道のポスター、Ｂ１５はポスターの規格寸法、１５−ｄはＩＣの検知に必要な有効位置（ポスターのデザインよって決まっている）をそれぞれ表す。ポスターのデザインが決まればそれに適したＩＣの位置も決まるので、それがキチンと台紙の位置と重なるようにポスターをデザインする。【００１５】  枠２は、図５に示すように裏側に切り欠きがあり、段部が形成されている。段状のこの部分に台紙７とポスター５の周縁部分を重ねて固定している。台紙７とポスターは規格品で同寸法であるから、ポスターを選択することにより、必然的にＩＣタグの有効取り付け位置とポスターの読み取り位置が重なることになる。この周縁部分は画鋲や接着剤で固定してもよいが、場合によっては、枠２と裏板９で挟圧固定するだけでもよい。枠のない場合は、位置合わせをして画鋲等で固定するだけでもよい。【００１６】  この固定状態では、前述のごとく、ポスター５の有効ＩＣ用読み取り位置（マーク）と台紙７のＩＣタグが重なりあう。このためＩＣタグの情報を携帯電話等のリーダで読み取ることが出来るのである。ポスターのデザインによっては紙面の他の位置にＩＣ用読み取り位置が位置するようにすることが可能である。【００１７】  ポスター装置１が完成したら、管理者はＩＣによって誘導されるＷｅｂが目的とするものＵＲＬとなるようにパソコンの誘導先をセットする。該当するもの以外の利用しないＩＣタグはＯＦＦとしておくのが好ましい。【００１８】  異なったポスターに対応位置のＩＣタグＷｅｂ誘導先（ＵＲＬ）変更方法は、既存の手段でおこなうことができる。例えばポスター台に貼り付けているＩＣタグはすべて管理者のパソコンに誘導されて、管理者のパソコン内でＩＣタグＷｅｂアドレス変更を行う。ポスター番号とポスター装置番号と各ポスター装置内のＩＣタグ位置番号とポスターデザインごとのＷｅｂ誘導先アドレスが明確になれば、管理者はパソコンでポスターに対応するＷｅｂの切り替えが簡単に可能となる。このシステムやプログラムは、すでに公開されている手段で説明は省略する。【００１９】  ポスター５は、デザインによってマーク位置が種々変化する。本発明でＩＣタグの取り付け位置を多くしているのはこのためである。ポスターのデザインが変化してＩＣタグの取り付け位置が変化してもタッチマーク近くのＩＣタグがうまく対応することができる。ＩＣタグの取り付け位置はこれにかぎらず広範囲に選択できるようにしておけばよい。【００２０】  このポスターは、２次元バーコードと同様に印刷だけで済むので、従来通りの印刷が可能となり、しかもＩＣタグのセット位置が公開されるので、中小の印刷業者でも問題なく対応可能となる。【００２１】  ＩＣタグの配置方法は種々考えられ、一つの実施形態では、同心円上にＩＣタグが所定の間隔で設けられている。ＩＣタグの配列方式はこれに限らず他の方式を採用することができる。この場合も、ＩＣタグの取り付け位置さえわかっていれば問題はない。【００２２】  このポスター装置は、ポスター自身にデザインを施して、種々の案内等に利用することが出来るが、このほかに別途用意されている情報、たとえば道順や旅館情報を携帯電話等のリーダ１２でＩＣタグを介して読み取ることができる。この操作はリーダ１２をマークにかざすだけでよいので簡単である。たとえばこのポスター装置は縦型であるが紙面が横向きになるように、横向きの表示装置として使用することもできる。例えば、テーブル上広げた地図を防災地図として利用できる。【００２３】  防災対策図は、緊急時に防災対策本部、市町村、自衛隊、警察、消防関係等が利用する（「Ｎコード」と呼ばれる）が、防災対策図の下にＮコードと同サイズのメッシュ枠にＩＣタグを貼り付けた台紙を下敷きにすれば防災対策図の図面メッシュ個��をリーダで軽くタッチするだけで指定個所がパソコン画面に表示されてパソコンに災害情報等の入力や書き換えが簡単にできる。【００２４】  本発明によれば、ポスターの印刷の際に、あらかじめ定められたＩＣタグの固定位置にポスターの読み取り位置を示すマークが位置するようにデザインされているので、特別な配慮を必要とせずＩＣタグとポスターのマークを重ね合わすことができる。このため、特別な配慮をしなくともＩＣタグを利用して情報を得ることができる。また、２次元バーコードと同様に印刷だけですむので、中小の印刷業者でも問題なく対応が可能となる。【００２５】  以上に説明したように、本発明に係るポスター装置は、ＩＣタグを所定の位置に貼り付けたポスターを簡単かつ正確に用意することが可能となった。このポスターをポスターの掲示板や広告に利用することが出来ることは言うまでもない。
【符号の説明】１          ポスター装置
２          枠
５          ポスター
９          裏板
１０        ＩＣタグ
１２        リーダ
【図１】
2016071314.tif 000003
【図２】
2016071314.tif 000004
【図３】
2016071314.tif 000005
【図４】
2016071314.tif 000006
【図５】
2016071314.tif 000007